【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
シートに画像を形成する画像形成手段を含む上流装置から排出されたシートを、シート処理手段を含む下流装置に向けて搬送する第１搬送パスと、
前記第１搬送パスから分岐し、シートを搬送する第２搬送パスと、
前記第２搬送パスに配置され、前記第２搬送パスに沿って搬送されるシート上の画像パターンを測定するカラーセンサと、
前記第１搬送パスより上方に設けられ、前記第２搬送パスから排出されたシートが積載されるシート積載部と、を備え、
前記上流装置及び前記下流装置と水平方向に並んで配置された、測定装置であって、
前記シート積載部は、前記第２搬送パスから排出されたシートを支持する延長トレイであって、前記水平方向において前記測定装置の幅の内側に収納される第１位置と、前記水平方向において前記測定装置の幅の外側に突出する第２位置とに移動可能に設けられた延長トレイを有し、
前記延長トレイは、前記第２位置において、前記上流装置の上方に位置し、鉛直方向に視て前記上流装置と重なる、
ことを特徴とする測定装置。
【請求項２】
原稿から画像情報を読み取るイメージセンサを備えた本体部と、前記本体部から上方に開くことが可能であり、前記イメージセンサへ向けて原稿を給送する原稿給送装置と、を有する画像読取装置が前記上流装置の上部に設けられている場合において、
前記第２位置にある状態の前記延長トレイは、前記鉛直方向に視て前記原稿給送装置と重なり、前記第１位置にある状態の前記延長トレイは、前記原稿給送装置を開閉する際の移動軌跡から退避している、
ことを特徴とする請求項１に記載の測定装置。
【請求項３】
前記第１搬送パスから前記第２搬送パスが分岐する場所に設けられ、シートの搬送経路を前記第１搬送パスと前記第２搬送パスとの間で切替える案内部材を有する、
ことを特徴とする請求項１又は２に記載の測定装置。
【請求項４】
前記カラーセンサは、前記画像パターンの分光反射率を測定する、
ことを特徴とする請求項１乃至３のいずれか１項に記載の測定装置。
【請求項５】
シートに画像を形成する画像形成手段を有する上流装置と、
シート処理手段を有する下流装置と、
水平方向において前記上流装置と前記下流装置との間に配置され、前記上流装置及び前記下流装置に接続される測定装置と、を備え、
前記測定装置は、
前記上流装置から排出されたシートを前記下流装置に向けて搬送する第１搬送パスと、
前記第１搬送パスから分岐し、シートを搬送する第２搬送パスと、
前記第２搬送パスに配置され、前記第２搬送パスに沿って搬送されるシートに形成された画像パターンを測定するカラーセンサと、
前記第１搬送パスより上方に設けられ、前記第２搬送パスから排出されたシートが積載されるシート積載部と、を有し、
前記シート積載部は、前記第２搬送パスから排出されたシートを支持する延長トレイであって、前記水平方向において前記測定装置の幅の内側に収納される第１位置と、前記水平方向において前記測定装置の幅の外側に突出する第２位置とに移動可能に設けられた延長トレイを有し、
前記延長トレイは、前記第２位置において、前記上流装置の上方に位置し、鉛直方向に視て前記上流装置と重なり、
前記測定装置の測定結果に従って前記画像形成手段の画像形成条件が変更される、
ことを特徴とする画像形成システム。
【請求項６】
前記画像形成条件は、前記上流装置に入力された入力画像データを、前記入力画像データの色空間から前記画像形成手段によってシートに画像を形成させるための色空間に変換するためのプロファイルを含み、
前記カラーセンサは、前記プロファイルを調整するための画像パターンを読み取る、
ことを特徴とする請求項５に記載の画像形成システム。
【請求項７】
前記上流装置の上部には、原稿から画像情報を読み取るイメージセンサを備えた本体部と、前記本体部から上方に開くことが可能であり、前記イメージセンサへ向けて原稿を給送する原稿給送装置と、を有する画像読取装置が設けられており、
前記第２位置にある状態の前記延長トレイは、前記鉛直方向に視て前記原稿給送装置と重なり、前記第１位置にある状態の前記延長トレイは、前記原稿給送装置を開閉する際の移動軌跡から退避している、
ことを特徴とする請求項５又は６に記載の画像形成システム。
【請求項８】
前記第１搬送パスから前記第２搬送パスが分岐する場所に設けられ、シートの搬送経路を前記第１搬送パスと前記第２搬送パスとの間で切替える案内部材を有する、
ことを特徴とする請求項５乃至７のいずれか１項に記載の画像形成システム。
【請求項９】
前記カラーセンサは、前記画像パターンの分光反射率を測定する、
ことを特徴とする請求項５乃至８のいずれか１項に記載の画像形成システム。
【請求項１０】
シートに画像を形成する画像形成手段を含む上流装置と、シート処理手段を含む下流装置とに接続される測定装置であって、
前記上流装置からシートを受け取り、シートを搬送路に沿って搬送する入口ローラと、
前記搬送路を搬送されるシートを前記下流装置へ排出する出口ローラと、
前記画像形成手段によりシートの第１面に形成された画像を読み取る第１読取ユニットと、
前記画像形成手段によりシートの第１面とは反対側の第２面に形成された画像を読み取る第２読取ユニットと、
前記画像形成手段により画像パターンが形成された測色シート上の前記画像パターンを測定するカラーセンサと、
鉛直方向において前記搬送路の上方に配置され、且つ、水平方向において少なくとも一部が前記入口ローラと前記出口ローラとの間に配置された排出トレイであって、前記搬送路から分岐した排出パスを搬送される前記測色シートが排出される排出トレイと、
前記測色シートが前記排出トレイに排出されるように、シート排出先を制御する制御手段と、を備える、
ことを特徴とする測定装置。
【手続補正２】
【補正対象書類名】明細書
【補正対象項目名】発明の名称
【補正方法】変更
【補正の内容】
【発明の名称】測定装置及び画像形成システム
【手続補正３】
【補正対象書類名】明細書
【補正対象項目名】０００１
【補正方法】変更
【補正の内容】
【０００１】
本発明は、シート上の画像パターンを測定する測定装置並びにシートに画像を形成する画像形成システムに関する。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
そこで、本発明は、利便性が高い測定装置及び画像形成システムを提供することを目的とする。
【手続補正６】
【補正対象書類名】明細書
【補正対象項目名】０００７
【補正方法】変更
【補正の内容】
【０００７】
本発明の一態様は、シートに画像を形成する画像形成手段を含む上流装置から排出されたシートを、シート処理手段を含む下流装置に向けて搬送する第１搬送パスと、前記第１搬送パスから分岐し、シートを搬送する第２搬送パスと、前記第２搬送パスに配置され、前記第２搬送パスに沿って搬送されるシート上の画像パターンを測定するカラーセンサと、前記第１搬送パスより上方に設けられ、前記第２搬送パスから排出されたシートが積載されるシート積載部と、を備え、前記上流装置及び前記下流装置と水平方向に並んで配置された、測定装置であって、前記シート積載部は、前記第２搬送パスから排出されたシートを支持する延長トレイであって、前記水平方向において前記測定装置の幅の内側に収納される第１位置と、前記水平方向において前記測定装置の幅の外側に突出する第２位置とに移動可能に設けられた延長トレイを有し、前記延長トレイは、前記第２位置において、前記上流装置の上方に位置し、鉛直方向に視て前記上流装置と重なる、ことを特徴とする測定装置である。
【手続補正７】
【補正対象書類名】明細書
【補正対象項目名】０００８
【補正方法】変更
【補正の内容】
【０００８】
本発明の他の態様は、シートに画像を形成する画像形成手段を有する上流装置と、シート処理手段を有する下流装置と、水平方向において前記上流装置と前記下流装置との間に配置され、前記上流装置及び前記下流装置に接続される測定装置と、を備え、前記測定装置は、前記上流装置から排出されたシートを前記下流装置に向けて搬送する第１搬送パスと、前記第１搬送パスから分岐し、シートを搬送する第２搬送パスと、前記第２搬送パスに配置され、前記第２搬送パスに沿って搬送されるシートに形成された画像パターンを測定するカラーセンサと、前記第１搬送パスより上方に設けられ、前記第２搬送パスから排出されたシートが積載されるシート積載部と、を有し、前記シート積載部は、前記第２搬送パスから排出されたシートを支持する延長トレイであって、前記水平方向において前記測定装置の幅の内側に収納される第１位置と、前記水平方向において前記測定装置の幅の外側に突出する第２位置とに移動可能に設けられた延長トレイを有し、前記延長トレイは、前記第２位置において、前記上流装置の上方に位置し、鉛直方向に視て前記上流装置と重なり、前記測定装置の測定結果に従って前記画像形成手段の画像形成条件が変更される、ことを特徴とする画像形成システムである。
本発明の更に他の態様は、シートに画像を形成する画像形成手段を含む上流装置と、シート処理手段を含む下流装置とに接続される測定装置であって、前記上流装置からシートを受け取り、シートを搬送路に沿って搬送する入口ローラと、前記搬送路を搬送されるシートを前記下流装置へ排出する出口ローラと、前記画像形成手段によりシートの第１面に形成された画像を読み取る第１読取ユニットと、前記画像形成手段によりシートの第１面とは反対側の第２面に形成された画像を読み取る第２読取ユニットと、前記画像形成手段により画像パターンが形成された測色シート上の前記画像パターンを測定するカラーセンサと、鉛直方向において前記搬送路の上方に配置され、且つ、水平方向において少なくとも一部が前記入口ローラと前記出口ローラとの間に配置された排出トレイであって、前記搬送路から分岐した排出パスを搬送される前記測色シートが排出される排出トレイと、前記測色シートが前記排出トレイに排出されるように、シート排出先を制御する制御手段と、を備える、ことを特徴とする測定装置である。
【手続補正８】
【補正対象書類名】明細書
【補正対象項目名】０００９
【補正方法】変更
【補正の内容】
【０００９】
本発明によれば、利便性が高い測定装置及び画像形成システムを提供することができる。
【手続補正９】
【補正対象書類名】図面
【補正対象項目名】図３
【補正方法】変更
【補正の内容】
【図３】
2020040820.tif 000001
【手続補正１０】
【補正対象書類名】図面
【補正対象項目名】図９
【補正方法】変更
【補正の内容】
【図９】
2020040820.tif 000002
【手続補正１１】
【補正対象書類名】図面
【補正対象項目名】図１０
【補正方法】変更
【補正の内容】
【図１０】
2020040820.tif 000003